(57)【要約】【課題】装着部品等の製作に余分な手間が掛からずその製品コストも低廉にでき、装着部品等の係合部、被係合部の破損事故も抑えられる弾球遊技機を提供する。【解決手段】球払出装置１２、タンクレール９等の合成樹脂製の装着部品の一側に係合部１６または被係合部２１のいずれか一方を設け、遊技機本体５０における合成樹脂部材の取付面１９の一側に他方を設け、前記取付面１９の他側には折曲掛止部２３を有した弾性線材からなる保持部材２２を配置固定し、前記被係合部２１に係合部１６を係合すると共に保持部材２２をその弾性に抗し撓ませて装着部品に折曲掛止部２３を掛止することにより、前記取付面１９に装着部品が着脱自在に装着できるようにした。【選択図】図５
2007296102.tif 000002
【特許請求の範囲】
【請求項１】
球払出装置、タンクレール等の合成樹脂製の装着部品の一側に係合部または被係合部のいずれか一方を設け、遊技機本体における合成樹脂部材の取付面の一側に他方を設け、前記取付面の他側には折曲掛止部を有した弾性線材からなる保持部材を配置固定し、前記被係合部に前記係合部を係合すると共に前記保持部材をその弾性に抗し撓ませて前記装着部品に前記折曲掛止部を掛止することにより、前記取付面に前記装着部品が着脱自在に装着できるようにしたことを特徴とする弾球遊技機。
【請求項２】
前記保持部材は前記取付面に当接した前記装着部品に近接して配置固定され、前記取付面に前記装着部品を装着するとき前記保持部材をその弾性に抗し撓ませて前記折曲掛止部を前記装着部品に掛止するようにした請求項１記載の弾球遊技機。
【請求項３】
前記保持部材に指で該保持部材を容易に操作できる操作部を設けた請求項１記載の弾球遊技機。
【発明の詳細な説明】
【技術分野】
【０００１】
本発明は、遊技機本体における取付面に球払出装置、タンクレール等の装着部品を着脱自在に装着できるようにした弾球遊技機に関するものである。
【背景技術】
【０００２】
従来、例えば、遊技機本体裏側の取付面に球払出装置を着脱自在に装着するようにした弾球遊技機がある。この弾球遊技機は、合成樹脂製の球払出装置の一側上下部にそれぞれ係合部としての係合突起を設け、遊技機本体裏側すなわち合成樹脂製の機構板裏側の取付面に前記各係合突起と対応位置させて被係合部としての係止突片を設けている。また、前記取付面の下部に、弾性変形し得る弾性係合爪を形成している。
【０００３】
そして、前記球払出装置を機構板の取付面の下側に押し当て上方へスライドさせると共に、球払出装置の各係合突起を機構板の取付面の各係止突片に係合させる。また、弾性係合爪を球払出装置の前端部下面に掛止することにより、球払出装置を機構板裏側の取付面に装着するようにしている。また、該球払出装置を取り外すには、前記弾性係合爪をその弾性に抗して撓ませて球払出装置の前端部下面から外し、この状態で球払出装置を下方へスライドさせて各係止突片から各係合突起を外す。このようにして、球払出装置を機構板の取付面に着脱自在に装着するようにしている（例えば、特許文献１参照。）。
【特許文献１】特開平２０００−１９７７４８号公報（第１２頁段落００５７乃至００６１、図４）
【発明の開示】
【発明が解決しようとする課題】
【０００４】
しかしながら、前記特許文献１に係る球払出装置と機構板の取付面には、互いに係合させる多くの係合突起や係止突片、更には弾性係合爪を一体成型により設ける必要がある。このため、球払出装置と機構板との成形金型が複雑化しその製作に余分な手間が掛かり、その金型代引いては製品コストが高くなるという課題があった。
【０００５】
また、係合突起、係止突片または弾性係合爪は、球払出装置や機構板と同じく合成樹脂製であることから、球払出装置の着脱時に破損する危険性が高い。仮に、破損すると球払出装置や機構板をそのまま新しいものと交換しなければならず、交換コストが余分に掛かるという課題もあった。
【０００６】
そこで、本発明は上記課題を解決すべくなされたもので、装着部品等の製作に余分な手間が掛からずその製品コストも低廉にでき、また、装着部品等の係合部、被係合部の破損事故も抑えることができる弾球遊技機を提供することを目的とするものである。
【課題を解決するための手段】
【０００７】
かかる目的を達成するため本発明に係る弾球遊技機は、球払出装置、タンクレール等の合成樹脂製の装着部品の一側に係合部または被係合部のいずれか一方を設け、遊技機本体における合成樹脂部材の取付面の一側に他方を設け、前記取付面の他側には折曲掛止部を有した弾性線材からなる保持部材を配置固定し、前記被係合部に係合部を係合すると共に保持部材をその弾性に抗し撓ませて装着部品に前記折曲掛止部を掛止することにより、取付面に装着部品が着脱自在に装着できるようにした。
【０００８】
この際、本発明に係る弾球遊技機は、前記保持部材が前記取付面に当接した装着部品に近接して配置固定され、取付面に装着部品を装着するとき保持部材をその弾性に抗し撓ませて折曲掛止部を装着部品に掛止するようにすることが好ましい。
【０００９】
また、前記保持部材に指で該保持部材を容易に操作できる操作部を設けることが好ましい。
【発明の効果】
【００１０】
本発明に係る弾球遊技機は、合成樹脂部材の取付面に折曲掛止部を有した弾性線材からなる保持部材を配置固定したので、装着部品等の係合部と被係合部を極力減らすことができる。これにより、その分装着部品等の成型金型の簡素化が図られ、その製作に余分な手間が掛からなくなる。一方、保持部材は線材を折曲するのみで製作できることから、製作が容易でその製品コストも安い。よって、装着部品等の成形が簡単になり、それら製品コストの低廉が可能になるという有益な効果がある。
【００１１】
また、被係合部に係合部を係合すると共に保持部材をその弾性に抗し撓ませて装着部品に折曲掛止部を掛止するようにしているので、装着部品の着脱時に係合部または被係合部に無用な外力が加わることが少ない。よって、係合部や被係合部が破損するといったことがほとんどなくなり、これらの破損事故を極力抑えることができるという効果がある。
【００１２】
更に、保持部材は取付面に当接した装着部品に近接して配置固定され、保持部材をその弾性に抗し撓ませて折曲掛止部を装着部品に掛止するのみで装着部品が装着できることから、装着部品が非常に装着し易いという効果がある。また、保持部材に指で該保持部材を容易に操作できる操作部を設けるようにしているので、保持部材の操作が容易に行え、装着部品の着脱動作が簡単になるという効果もある。
【発明を実施するための最良の形態】
【００１３】
以下、本発明に係る弾球遊技機の実施の形態を図面に基づき説明する。なお、本発明はパチンコ遊技機、アレンジボール機または雀球遊技機等の弾球遊技機に適用されるが、その内、その一例としてパチンコ遊技機について説明する。図１は本発明が適用されるパチンコ遊技機の裏面図である。
【００１４】
パチンコ遊技機Ｐは、方形枠状の外枠１を備え、該外枠１の前側に遊技盤２を配設した内枠３が回動自在に装着される。図示は省略するが、遊技盤２前面の遊技部には、多くの盤面部品が装着される。また、内枠３の前側に遊技盤２の前面を覆う透明板保持枠が装着されると共にその下方に前板が装着される。また、該前板の前面に発射位置へ供給される遊技球を貯留するための上球受皿が装着され、内枠３の下部前面には、前記上球受皿から溢れる遊技球を貯留する下球受皿及び打球の打球力を調整するための打球力調整ハンドルが装着されている。
【００１５】
前記内枠３の裏面に、遊技盤２の裏面を囲う合成樹脂部材である機構板４が一側のヒンジ部５，５を中心として開閉自在に装着される。該機構板４の中央部に開口６が開設され、該開口６に前記遊技盤２の裏面に取着され入賞球となった遊技球を寄せ集める球寄せカバー７が臨んでいる。本発明にあっては、前記外枠１と内枠３と機構板４とにより遊技機本体５０が構成されることになる。
【００１６】
前記機構板４の裏面の上部に遊技球を貯留する球タンク８が配設され、その下方に該球タンク８から排出される遊技球を下流に導くタンクレール９が配設される。また、該タンクレール９の流下端に、カーブレール１０が連設されると共に該カーブレール１０に球供給樋１１が連設される。
【００１７】
そして、前記球供給樋１１の流下端に、本発明に係る装着部品としての球払出装置１２が着脱自在に装着され、前記球供給樋１１を介して遊技球が球払出装置１２に供給されることになる。更に、該球払出装置１２の流下端には、該球払出装置１２から払い出される遊技球を受け入れる球排出樋１３が配設される。該球排出樋１３に排出された遊技球は、パチンコ遊技機Ｐ前面の上球受皿に貯留される。この球払出装置１２は、賞球および貸し球といった遊技球のいずれも払い出すことができるようになっている。
【００１８】
前記球払出装置１２は、図２、図３に示すように合成樹脂製であって直方体形状のケース体１４からなり、その内部に前記球供給樋１１と連通する球通路（図示せず。）および該球通路を流下する遊技球を１個ずつ切って下方に排出するスプロケット（図示せず。）が軸着される。該スプロッケトはケース体１４の外周面に装着したステッピングモータ１５の駆動軸に固着される。
【００１９】
前記ケース体１４の上面前縁に、上方へ突出する係合部としての一個の係合突起１６が一体成型により設けられる。また、ケース体１４の下面の両側に、前面が前側へ進むに従い上傾するテーパー面１７ａとしかつ後面が前側へ僅かに窪む凹弧面１７ｂとした掛止凸部１８が突設される。
【００２０】
一方、前記機構板４裏面であり前記球払出装置１２が装着される取付面１９には、その周囲を囲むようにして該球払出装置１２のケース体１４が嵌り込んで合致する長方形状の囲い枠２０が一体に設けられる。該囲い枠２０の上辺２０ａの内側に、前記ケース体１４の係合突起１６が係合し得る被係合部としての係合孔２１が設けられる。また、囲い枠２０の下辺２０ｂは、中央部が所定の間隔離して切欠かれている。
【００２１】
機構板４の裏面であって前記取付面１９の下側に、球払出装置１２を囲い枠２０内の取付面１９に当接した状態で該球払出装置１２を保持する保持部材２２が配置固定される。該保持部材２２は、一本の金属製の弾性線材を折曲して成形され、その製作が容易である。そして、該保持部材２２は、両側の水平な固着杆部２２ａ，２２ａと、両固着杆部２２ａ，２２ａの後端から上方へ折曲される鉛直な支持杆部２２ｂ，２２ｂと、両支持杆部２２ｂ，２２ｂの上端から後方へ折曲される水平な保持杆部２２ｃ，２２ｃとから側面クランク状に成形される。
【００２２】
前記保持杆部２２ｃは平面門状をなし、その両側に該保持杆部２２ｃと同一平面上に位置して互いに外側へ突出する同じく門状の折曲掛止部２３，２３が設けられている。両折曲掛止部２３，２３に前記ケース体１４の下面に設けられた両掛止凸部１８，１８が掛止することになる。また、外側から保持部材２２を容易に操作できるように保持杆部２２ｃの先端部は、所定の寸法伸ばして操作部２４が設けられる。前記各固着杆部２２ａは、各支持杆部２２ｂを機構板４の裏面に当接させた状態で、それぞれ機構板４の前面に設けられたボス部２５，２５に挿入して固着される。また、両支持杆部２２ｂの前面に固定板２６を宛がい、該固定板２６を機構板４にビス２７止めすることにより保持部材２２が機構板４にしっかりと固定される。
【００２３】
この状態では、囲い枠２０の下辺２０ｂの切欠部２８に両支持杆部２２ｂ，２２ｂの上端部が位置し、それら支持杆部２２ｂ，２２ｂの上端から後方へ折曲される保持杆部２２ｃが取付面１９に対してほぼ直角に配置される。
【００２４】
本発明に係るパチンコ遊技機Ｐは上記構成からなり、次に、球払出装置１２の着脱方法を説明する。まず、図４に示すように、係合突起１６を上向きにして球払出装置１２を機構板４の裏面の取付面１９に配置し、前記係合突起１６を係合孔２１に係合させると共に球払出装置１２の下部を取付面１９側へ押し付ける。これにより、球払出装置１２におけるケース体１４の下面両側の両掛止凸部１８，１８のテーパー面１７ａが両折曲掛止部２３，２３を押し下げ、保持部材２２をその弾性に抗して下方へ撓ませる。続き、ケース体１４が取付面１９に当接したとき、図５に示すように両折曲掛止部２３，２３が両掛止凸部１８，１８を乗り越えてその後側の凹弧面１７ｂ，１７ｂに掛止する。
【００２５】
この状態では、前記ケース体１４が囲い枠２０内に嵌り込み、球払出装置１２の機構板４の裏面に対する左右・上下方向への固定がしっかりと行える。また、ケース体１４の上部は前記係合突起１６が係合孔２１に係合し、下部は保持部材２２の両折曲掛止部２３，２３が両掛止凸部１８，１８に掛止して、球払出装置１２の機構板４の裏面に対する前後方向の固定がしっかりと行える。また、前記操作部２４は、球払出装置１２の後面から指が掛けられる程度に後方へ突出している。このようにして球払出装置１２が装着される。この際、球払出装置１２はその下部を取付面１９側へ押し込むのみで装着できるので、装着し易くその取り付けが極めて簡単である。なお、前記保持部材２２は、球払出装置１２の下端面に開設された球通路の球排出口２９にかからないようにその間隔が設定される。
【００２６】
また、遊技中に例えば球払出装置１２が故障して交換のため取り外す必要が生じた場合は、図６鎖線に示すように後側から操作部２４を押し下げて保持部材２２をその弾性に抗して撓ませ、両掛止凸部１８，１８から両折曲掛止部２３，２３を外す。そして、ケース体１４を同図鎖線の示すように後方へ引き離して球払出装置１２を取り外す。この場合も、取り外しが極めて簡単である。
【００２７】
このように本発明に係るパチンコ遊技機Ｐは、遊技機本体５０の裏側における機構板４裏面の取付面１９に、折曲掛止部２３，２３を有した弾性線材からなる保持部材２２を配置固定したので、球排出装置１２を装着するための係合突起１６と係合孔２１を極力減らすことができる。これにより、その分球払出装置１２、機構板４の成型金型の簡素化が図られ、それらの製作に余分な手間が掛からなくなる。一方、保持部材２２は線材を折曲するのみで製作できることから、金型が不要であって製作が容易でありその製品コストも安い。よって、球払出装置１２や機構板４の取付面１９の成形が簡単になり、それら製造コストの低廉が可能となる。
【００２８】
また、前記保持部材２２は弾性線材からなるので破損し難く耐久性に優れ、メンテナンスもし易い。しかも、保持部材２２が金属製であることから、例えばそこからアースも取れる。
【００２９】
更に、係合孔２１に係合突起１６を係合し、保持部材２２をその弾性に抗して撓ませ、両折曲掛止部２３，２３を球払出装置１２に係止するようにしている。よって、球払出装置１２の着脱時に、係合突起１６または係合孔２１に無用な外力が加わることが少ない。これにより、係合突起１６や係合孔２１の破損がほとんどなくなり、これらの破損事故を極力抑えることができる。
【００３０】
図７乃至図８は他の実施の形態に掛る保持部材を示すものである。図７は他の実施の形態に係る保持部材を使用した球払出装置の装着状態を示す斜視図、図８は同球払出装置を取り外す状態を示す側面断面図である。この実施の形態では、保持部材の形状が相違することと球払出装置１２に掛止凸部１８が設けられてない点を除き本発明と構成が同一なので、本発明と同一部位は同一番号を附ることにより詳しい説明は省略する。
【００３１】
他の実施の形態に係る保持部材３０も、一本の金属製の弾性線材を折曲して製作され、その製作が極めて容易である。そして、該保持部材３０は、両側の水平な固着杆部２２ａ，２２ａと、両固着杆部２２ａ，２２ａの後端から上方へ折曲される鉛直な支持杆部２２ｂ，２２ｂと、両支持杆部２２ｂ，２２ｂの上端から後方へ折曲される水平な保持杆部２２ｃとから側面クランク状に成形される。
【００３２】
前記保持杆部２２ｃは平面門状をなし、その先端部すなわち後端部を上方へ折曲させて折曲掛止部３１，３１が設けられる。両折曲掛止部３１，３１に前記ケース体１４の後面下縁が掛止することになる。また、両折曲掛止部３１，３１の上端に後方へ折曲する水平な操作部２４が設けられる。前記各固着杆部２２ａは、前記と同様に各支持杆部２２ｂが機構板４の裏面に当接するようにして、それぞれその裏面に設けられたボス部２５，２５に挿入して固着される。そして、両支持杆部２２ｂ，２２ｂの前面に固定板２６を宛がい、該固定板２６を機構板４にビス２７止めすることにより保持部材３０がしっかりと固定される。
【００３３】
この状態では、囲い枠２０の下辺２０ｂの切欠部２８に両支持杆部２２ｂ，２２ｂの上端部が位置し、それら支持杆部２２ｂ，２２ｂの上端から保持杆部２２ｃが後方へ折曲されかつ取付面１９に対して直角に配置される。
【００３４】
そこで、この実施の形態にあっては、係合突起１６を上向きにして球払出装置１２を機構板４の裏面の取付面１９に配置し、該係合突起１６を係合孔２１に係合させると共に球払出装置１２の下部を取付面１９側へ押し付ける。これにより、球払出装置１２のケース体１４の下面が両折曲掛止部３１，３１をその弾性に抗して押し下げ、続きケース体１４が取付面１９に当接する。これにより、図７、図８実線に示すようにケース体１４の後面下縁に両折曲掛止部３１，３１が掛止する。
【００３５】
この状態では、前記ケース体１４が囲い枠２０内に嵌り込み、球払出装置１２の機構板４の裏面に対する左右・上下方向への固定がしっかりと行える。また、ケース体１４の上部は前記係合突起１６が係合孔２１に係合し、下部は保持部材３０の両折曲掛止部３１，３１がケース体１４の後面下縁に掛止して、球払出装置１２の機構板４の裏面に対する前後方向の固定がしっかりと行える。また、前記操作部２４は、球払出装置１２の後面から指が掛けられる程度に後方へ突出している。このようにして球払出装置１２が装着される。この際、球払出装置１２はその下部を取付面１９側へ押し込むのみで装着できるので、装着し易くその取り付けが極めて簡単である。
【００３６】
また、球払出装置１２が故障して交換のため取り外す場合は、図８鎖線に示すように後側から操作部２４を押し下げて保持部材３０をその弾性に抗して撓ませ、ケース体１４の後面下端から両折曲掛止部３１，３１を外す。そして、ケース体１４を同図鎖線の示すように後方へ引き離して球払出装置１２を取り外す。この場合も、取り外しが極めて簡単である。
【００３７】
このように他の実施の形態に係るパチンコ遊技機Ｐに１あっても、遊技機本体５０の裏側における機構板４裏面の取付面１９に、折曲掛止部３１，３１を有した弾性線材からなる保持部材３０を配置固定したので、球排出装置１２を装着するための係合突起１６と係合孔２１を極力減らすことができる。これにより、その分球払出装置１２、機構板４の成型金型の簡素化が図られ、それらの製作に余分な手間が掛からなくなる。特に、この場合は、球払出装置１２の下面に本発明のような掛止凸部１８も不要になり、成形金型の製作にかかる手間を更に省略できる。一方、保持部材３０は線材を折曲するのみで製作できることから、金型が不要であって製作が容易でありその製品コストも安い。よって、球払出装置１２や機構板４の取付面１９の成形が簡単になり、それら製造コストの低廉が可能となる。
【００３８】
また、係合孔２１に係合突起１６を係合し、保持部材３０をその弾性に抗して撓ませ球払出装置１２に両折曲掛止部３１，３１を掛止するようにしているので、球払出装置１２の着脱時に係合突起１６または係合孔２１に無用な外力が加わることが少ない。これにより、係合突起１６や係合孔２１の破損がほとんどなくなり、これらの破損事故を極力抑えることができる。
【００３９】
前記いずれの説明にあっても、装着部品として球払出装置を示したが、他に例えば、合成樹脂製のタンクレール、カーブレールなど係合部と被係合部により係合され着脱自在に装着されるものであれば適用できる。また、装着部品に係合部を設け取付面に被係合部を設けるようにしたが、それらは逆であっても良い。更に、装着部品は遊技機本体の後面だけでなく前面に装着するものであっても良い。
【図面の簡単な説明】
【００４０】
【図１】本発明が適用されるパチンコ遊技機の裏面図。
【図２】同球払出装置を装着した機構板裏面の部分斜視図。
【図３】同球払出装置を分離して示す機構板裏面の部分斜視図。
【図４】同球払出装置を機構板裏面に装着する状態を示す側面断面図。
【図５】同球払出装置を機構板裏面に装着した状態を示す側面断面図。
【図６】同球払出装置を機構板裏面から取り外す状態を示す側面断面図。
【図７】他の実施の形態に係る保持部材を使用した球払出装置の装着状態を示す斜視図。
【図８】同球払出装置を取り外す状態を示す側面断面図。
【符号の説明】
【００４１】
９                タンクレール
１２              球払出装置
１６              係合部（係合突起）
１９              取付面
２１              被係合部（係合孔）
２２              保持部材
２３              折曲掛止部
２４              操作部
３０              保持部材
３１              折曲掛止部
５０              遊技機本体
Ｐ                弾球遊技機（パチンコ遊技機）
【図１】
2007296102.tif 000003
【図２】
2007296102.tif 000004
【図３】
2007296102.tif 000005
【図４】
2007296102.tif 000006
【図５】
2007296102.tif 000007
【図６】
2007296102.tif 000008
【図７】
2007296102.tif 000009
【図８】
2007296102.tif 000010